(57)【要約】【課題】ノンインパクトプリンタにより情報出力ができる枚葉のシートであって、このシートから重ね合わせ帳票が得られるようにし、重ね合わせ帳票の効率のよい製造を図る。【解決手段】単片シートに分離部５を設けて、重ね合わせ帳票形態での最上位の上シート片７と最下位の下シート片８と上下シート片７、８の間の中間シート片９、１０を単片シートに区分形成し、各シート片６は同時複写構成を備え、シート片６それぞれの重ね合わせ帳票形態での同一辺側で上シート片７の裏面と下シート片８の表面とに再剥離再接着可能な接着手段１５、１６を設け、かつ中間シート片１０には透孔１７を開口し、重ね合わせ帳票形態としたときの上シート片７の接着手段１５と下シート片８の接着手段１６との中間シート片９、１０の透孔１７を通した接着により、上シート片７と中間シート片９、１０と下シート片８とが綴じ合わせ可能な構成を有する。【選択図】図１
2008030237.tif 000002
【特許請求の範囲】
【請求項１】
単片シートを切り取りミシン目などからなる分離部で三つ以上に区分して、前記分離部で区分された各部分からなる複数のシート片を有し、前記分離部で分離したときの前記複数のシート片の重ね合わせにより重ね合わせ帳票が形成可能な重ね合わせ帳票作成用シートであって、
前記複数のシート片は、重ね合わせしたときの重ね合わせ帳票形態での最上位である上シート片と最下位である下シート片と前記上下シート片の間に位置する中間シート片とからなり、
前記上シート片に情報記入部を有するとともに、前記中間シート片と下シート片とに情報複写記入部を有して、前記重ね合わせ帳票形態での上シート片の前記情報記入部に記載した情報が下位の中間シート片と下シート片との前記情報複写記入部に同時複写可能となる複写構成を有し、
前記重ね合わせ帳票形態での同一辺側で上下に重なる位置にして上シート片の裏面と下シート片の表面とに再剥離再接着可能な接着手段が設けられ、かつ前記中間シート片には透孔が開口されていて、前記重ね合わせ帳票形態としたときの上シート片の接着手段と下シート片の接着手段との中間シート片の透孔を通した接着により、前記上シート片と前記中間シート片と下シート片とが綴じ合わせ可能な構成を有することを特徴とする重ね合わせ帳票作成用シート。
【発明の詳細な説明】
【技術分野】
【０００１】
本発明は重ね合わせ帳票作成用シートに関するものである。
【背景技術】
【０００２】
従来から重ね合わせ帳票は配送物の配送管理などに用いられていて、配送の各過程で必要とされる帳票、例えば送り状、依頼者控、配達人が用いる配達票、売上票などの複数の帳票を一組としたものであり、これらの帳票を重ね合わせて一辺側で綴じ合わせていて、依頼者住所氏名、受取人住所氏名などの配達情報を各帳票に書き込むに際しては、最上位となった帳票に情報を記載すると同時に下位の帳票それぞれにも同時複写されるようにした工夫がなされていた。
そして、重ね合わせ帳票を製造する場合、重ね合わせ帳票の最上位とする帳票が複数連続した連続フォーム、重ね合わせ帳票の最下位とする帳票が複数連続した連続フォーム、最上位の帳票と最下位の帳票との間で重ね合わせ順位が同じ中間の帳票が連続している連続フォームとを、帳票重ね合わせ順で上下に一組の帳票が揃うように重ね合わせ、連続フォームそれぞれの一辺側に沿って塗布された接着剤により綴じ合わせて、重ね合わせ帳票の連続フォームとし、これを情報印字などを行なった後で一組のまとまり毎に分離して一単位の重ね合わせ帳票が得られるようにしていた。また、最上位となる帳票から最下位となる帳票までの各帳票をその重ね合わせの順に連続させた連続フォームを用意し、この連続フォームから各帳票毎に分離しながら重ね合わせるとともに、最上位となる帳票の綴じ合わせ側の裏面と最下位となる帳票の綴じ合わせ側の表面とのそれぞれに塗布された接着剤を、中間に位置する帳票の綴じ合わせ側に開口した透孔を通して接着させ、この接着により複数の帳票を綴じ合わせた重ね合わせ帳票を得るようにした方法も提案されている（例えば、特許文献１参照）。
【特許文献１】特公昭５４−００７２０５号公報
【発明の開示】
【発明が解決しようとする課題】
【０００３】
近年、静電複写式印刷機などのノンインパクトプリンタによる印刷時の静粛性や高速印字処理性能が向上してきていることから、上記重ね合わせ帳票での各帳票への情報記載もこのノンインパクトプリンタで対応すれば効率のよい重ね合わせ帳票の製造が期待できる。
しかしながら、ノンインパクトプリンタを用いて印字する場合、印字する対象を枚葉の形態とする必要があるため、このようなノンインパクトプリンタにより配送情報を印字出力できるものの提案としては例えば特開平０６−０７２０７３号公報などに示されている二つ折りして葉書とすることができる簡易なシートにとどまっている。そのため、ノンインパクトプリンタでの情報印字ができるように枚葉形態のシートであって、重ね合わせ帳票の複数の帳票からなり事前に施された接着手段などで綴じ合わせが行なえるような重ね合わせ帳票用のシートが望まれている。
そこで本発明は上記事情に鑑み、ノンインパクトプリンタにより情報出力ができる枚葉のシートであって、このシートから重ね合わせ帳票が得られるようにすることを課題とし、重ね合わせ帳票の効率のよい製造を図ることを目的とするものである。
【課題を解決するための手段】
【０００４】
本発明は上記課題を考慮してなされたもので、単片シートを切り取りミシン目などからなる分離部で三つ以上に区分して、前記分離部で区分された各部分からなる複数のシート片を有し、前記分離部で分離したときの前記複数のシート片の重ね合わせにより重ね合わせ帳票が形成可能な重ね合わせ帳票作成用シートであって、前記複数のシート片は、重ね合わせしたときの重ね合わせ帳票形態での最上位である上シート片と最下位である下シート片と前記上下シート片の間に位置する中間シート片とからなり、前記上シート片に情報記入部を有するとともに、前記中間シート片と下シート片とに情報複写記入部を有して、前記重ね合わせ帳票形態での上シート片の前記情報記入部に記載した情報が下位の中間シート片と下シート片との前記情報複写記入部に同時複写可能となる複写構成を有し、前記重ね合わせ帳票形態での同一辺側で上下に重なる位置にして上シート片の裏面と下シート片の表面とに再剥離再接着可能な接着手段が設けられ、かつ前記中間シート片には透孔が開口されていて、前記重ね合わせ帳票形態としたときの上シート片の接着手段と下シート片の接着手段との中間シート片の透孔を通した接着により、前記上シート片と前記中間シート片と下シート片とが綴じ合わせ可能な構成を有することを特徴とする重ね合わせ帳票作成用シートを提供して、上記課題を解消するものである。
【発明の効果】
【０００５】
本発明に係る重ね合わせ帳票作成用シートによれば、重ね合わせをすることで重ね合わせ帳票の形態とすることのできる複数のシート片が単片シートに形成されている。そのため、ノンインパクトプリンタによって情報の印字を行なうことができ、単片シートで区分配置されている各シート片それぞれに対応した情報の印字がノンインパクトプリンタの特性を生かして、静粛に、かつ効率良く、さらに印字情報を明瞭に設けることができるようになる。
また、本重ね合わせ帳票作成用シートの各シート片は、分離して重ね合わせるときの最上位となる上シート片と最下位となる下シート片と上下シート片の間に位置する中間シート片とからなり、上シート片と下シート片とに接着手段が設けられ、中間シート片には透孔が開口しているので、分離して重ねたこれらシート片の内で上シート片と下シート片の接着手段を接着させるという簡単な操作で、この複数のシート片を綴じ合わせることができ、重ね合わせ帳票を簡単に作成できるようになる。
さらに、シート片それぞれは重ね合わせ帳票形態時で最上位の帳票、即ち上シート片に設けられた情報記入部に記載した情報が下位の帳票それぞれに同時複写できる複写構成とされているので、重ね合わせ帳票形態時に情報を手書きなどで記入することでその情報も各シート片に簡単に記入することができる重ね合わせ帳票が得られる。
【発明を実施するための最良の形態】
【０００６】
つぎに本発明を図１から図６に示す実施の形態に基づいて詳細に説明する。
図中１は重ね合わせ帳票作成用シートである。この重ね合わせ帳票作成用シート１は図１に示されているように方形とした単片シートであり、図２の断面で示されているように紙などからなる基材２の表面全面に顕色剤層３が形成され、基材２の裏面全面に発色剤層４が形成されている。
この重ね合わせ帳票作成用シート１は図１に示されているように単片シートの上端辺１ａ（図上、上側の辺）に平行にして、かつ側端辺１ｂの方向に沿って等間隔にして三本の直線状の分離部５が設けられていて、前記分離部５によって四片のシート片６が同じ大きさにして区分形成されている。分離部５自体は例えば穿設した切り取りミシン目などからなるものであり、よって、単片シートである本重ね合わせ帳票作成用シート１は前記分離部５で区分されたシート片６が分離可能に連設されていて、分離部５の位置で分離することでこれらシート片６は重ね合わせることができ、分離したシート片６の重ね合わせで重ね合わせ帳票とすることができるものである（図３、４）。
さらに、本重ね合わせ帳票作成用シート１では上述したように表面側に全面にして顕色剤層３が設けられ、裏面側に全面にして発色剤層４が設けられているので、上記分離部５から分離できる各四片のシート片６についても表面側に顕色剤層３が設けられ、裏面側に発色剤層３が設けられたものとなっており、これらシート片６は、分離して重ね合わせて重ね合わせ帳票の形態としたときに、最上位に位置するシート片６に手書きにて記載した情報がその最上位のシート片６の下位に位置するシート片６それぞれに同時複写される複写構成を有するものとなる。よって、本重ね合わせ帳票作成用シート１は複写構成を有する複数のシート片６を備えるものである。
【０００７】
本重ね合わせ帳票作成用シート１においては、分離して重ね合わせた四片のシート片６から得られる重ね合わせ帳票が配送物の配送管理に用いる重ね合わせ帳票となるようにしているものであって、シート片６それぞれは配送業務での過程で必要となる帳票の組み合せとなるように構成されている。即ち、四片中、一片のシート片６は重ね合わせ帳票の形態としたときに最上位であって荷主控え票とする上シート片７であり、残りの三片中の一片のシート片６は重ね合わせ帳票形態時に最下位であって送り状とする下シート片８であり、残りの二片中の一片のシート片６を重ね合わせ帳票形態時に前記上シート片７と下シート片８との間に位置して売上票とする中間シート片９とし、残りの一片のシート片６を重ね合わせ帳票形態時に同じく上シート片７と下シート片８との間に位置して前記中間シート片９の下位になる配達票（配達ドライバーが管理する種類の帳票）とする中間シート片１０としてこれらの組み合せとなる。
そして、上述したように上シート片７、中間シート片９、１０、下シート片８とが配送過程の各段階で配達情報などを読み取りし易くなるようにシート片６の役割に応じた情報記載部分が予め設けられていて、上シート片７にあっては情報記入部１１が設けられ、中間シート片９、１０それぞれには情報複写記入部１２が設けられ、下シート片８にも情報複写記入部１３が設けられている。そして、分離して得られた上シート片７、中間シート片９、１０、下シート片８を順に重ね合わせて重ね合わせ帳票の形態としたときには、前記情報記入部１１、情報複写記入部１２、１３が上下に重なる位置にあり、最上位となった上シート片７の情報記入部１１に情報を記入すれば、上述したように同一の情報が中間シート片９、１０と下シート片８との情報複写記入部１２、１３にも同時複写される。
【０００８】
上記情報記入部１１と情報複写記入部１２、１３とは重ね合わせ帳票形態時に情報が手書きされる部分であり、例えば、荷主が配送物の受取人住所氏名などの情報を設けるようにする部分である。さらに、本重ね合わせ帳票作成用シート１ではノンインパクトプリンタにより他の情報を印字するための情報印字部１４を各シート片６それぞれにおいて前記情報記入部１１、情報複写記入部１２、１３と重ならない位置に設けていて、重ね合わせ帳票作成用シート１を前記ノンインパクトプリンタにセットすることで、情報印字部１４それぞれに情報が印字できる。
この情報印字部１４には例えば荷主住所氏名などの情報が印字されるが、これに限定されるものではなく、上シート片７、中間シート片９、１０、下シート片８それぞれで情報が異なるものであってもよい。また、各シート片６の情報印字部１４の位置は、シート片６の手書き情報を記入することになる上記領域、そして後述する綴じ合わせに係る領域に重ならない範囲であれば、各シート片６それぞれで同一の位置とする必要はなく、また、シート片６全てに情報印字部１４を設ける必要もない。
【０００９】
上記ノンインパクトプリンタによる情報印字は顕色剤層３や裏面の発色剤層４に対して行なえるものであるが、顕色剤層３と発色剤層４とを重ね合わせ帳票形態時に上下に重なるようにして上記情報記入部１１、情報複写記入部１２、１３の位置のみに形成してもよい。
【００１０】
本重ね合わせ帳票作成用シート１にあっては、分離した四片のシート片６を重ね合わせしたときに容易に綴じ合わせることができる工夫を備えていて、重ね合わせ帳票形態時での各シート片６の同一辺側で綴じ合わせできるようにしている。図示されているように、上シート片７にあっては重ね合わせ帳票形態での綴じ合わせ側となる一辺側の裏面に再剥離再接着可能な接着手段１５が設けられている。また、下シート片８にあっては重ね合わせ帳票形態での綴じ合わせ側となる一辺側の表面に再剥離再接着可能な接着手段１６が設けられている。さらに中間シート片９、１０にあっては、重ね汗帳票形態時での綴じ合わせ側となる一辺側に複数の透孔１７が開口されていて、二片の中間シート片９、１０の前記透孔１７は、この中間シート片９、１０を重ね合わせ帳票形態時において上下に重なるように位置が設定されている。
このように上シート片７が接着手段１５を有し、下シート片８が接着手段１６を有し、中間シート片９、１０が透孔１７を開口していて、重ね合わせ帳票形態時に上シート片７の前記接着手段１５と下シート片８の前記接着手段１６とが中間シート片９、１０の透孔１７を通して直接対向するようにしている。そして、四片のシート片６を重ね合わせ帳票の形態で重ね合わせているときに上シート片７の接着手段１５が位置している部分を全体的に下シート片８側に向けて押し付けることによって、または下シート片８の接着手段１６が位置している部分を全体的に上シート片７側に向けて押し付けることによって、あるいは上シート片７の接着手段１５がある位置と下シート片８の接着手段１６がある位置とを上下方向から挟み付けることによって、接着手段１５、１６が透孔１７を通して直接に接着し、上シート片７、中間シート片９、１０、下シート片８とが同一辺側で綴じ合わされるようになる（図５）。そのため、重ね合わせ帳票形態時での前述の綴じ合わせを行なうことで各シート片６がズレとことなく安定した重ね合わせ状態となり、手書きによる情報を適正な位置に複写させることが簡単なものとなる。
接着手段１５、１６は再剥離再接着可能な接着剤からなるものであり、重ね合わされている状態から四片のシート片６を分離する場合には、上シート片７や下シート片８を引き剥ぐようにすればよい。
【００１１】
上記上シート片７と下シート片８とに設けられた再剥離再接着可能な接着手段は、通常では他物質との接着性を有さず、同一接着素材が設けられた接着面を重ね合わせて、手で押圧する程度で接着する弱感圧性の自己接着機能を有する自着糊からなるものであり、例えば三井物産ソルベント・コーティング株式会社製の商品名フルタイトＡＦ−０５である接着剤を用いることができる。
【００１２】
上記実施の形態では平行な三本の分離部５で四片のシート片６が区分されている重ね合わせ帳票作成用シート１を示したが、本発明はこの例に限定されるものではない。その他の例を図６に示していて、上記実施の形態と異なって横長の単片シートである。そして、重ね合わせ帳票作成用シート１の上端辺１ａに平行にして単片シートの中央を通る分離部５と側端辺１ｂに平行にして単片シートの中央を通る分離部５とによって四方にシート片６を分離可能に配置したものとしている。
この実施の形態は上記実施の形態と四片のシート片６の配置が異なるのみであり、上記実施の形態の場合と同じように表面側に顕色剤層３が設けられているとともに、裏面側に発色剤層４が設けられていて、四片のシート片６を分離して重ね合わせ帳票形態としたときに最上位のシート片側から記載した情報が下位の三片のシート片それぞれに複写される同時複写構成を有するように設けられている。そして、四片のシート片６は重ね合わせ帳票形態としたときの最上位である上シート片７、最下位である下シート片８、上下シート片の間である中間シート片９、１０からなるものとされており、上シート片７、中間シート片９、１０、下シート片８の順に重ね合わせた重ね合わせ帳票での使用形態に合うように上シート片７が荷主控え票とされ、二段目の中間シート片９が売上票とされ、三段目の中間シート片１０が配達票とされ、下シート片８が送り状とされた組み合せとなり、前記上シート片７には情報記入部１１が設けられ、中間シート９、１０、下シート片８には情報複写記入部１２が設けられていて、上述したように情報記入部１１に情報を記載することで下位の中間シート片９、１０、下シート片８のそれぞれの情報複写記入部１２にも情報が同時複写されるようにした重ね合わせ帳票となる。また、情報印字部１４も各シート片６に設けられている。
【００１３】
さらに上記実施の形態と同じように重ね合わせ帳票形態時としたときにはその重ね合わせ帳票の同一辺側で綴じ合わせできるようにしていて、上記上シート片７での綴じ合わせ側となる部分の裏面に再剥離再接着可能な接着手段１５が施され、下シート片８での綴じ合わせ部分との表面側に再剥離再接着可能な接着手段１６が施されている。さらに、中間シート片９、１０の綴じ合わせ側となる部分には上記実施の形態の場合と同じように、複数の透孔１７が開口されていて、四片のシート片６を重ね合わせてから接着手段１５と接着手段１６との間に中間シート片９、１０の透孔１７が開口された辺側を配した状態で上下方向から指で押さえ付けるなどすることで、透孔１７の部分を通して前記接着手段１５、１６が相互に接着し合い、これによって四片の前記シート片６が分離可能に綴じ合わされた重ね合わせ帳票となる。
【００１４】
上記実施の例それぞれでは重ね合わせ帳票作成用シート１が四片のシート６を分離可能に区分したものとしているが、本発明はこれに限定されるものではなく、重ね合わせ帳票形態時での上シート片と下シート片と中間シート片とが単片シートに区分形成されていればよく、中間シート片が一片、あるいは三片以上であってもよい。
【図面の簡単な説明】
【００１５】
【図１】本発明に係る重ね合わせ帳票作成用シートの一例を示す説明図である。
【図２】一例を断面で示す説明図である。
【図３】シート片の重ね合わせを示す説明図である。
【図４】重ね合わせ帳票を示す説明図である。
【図５】重ね合わせ帳票の綴じ合わせ部分を断面で示す説明図である。
【図６】他の実施の形態を示す説明図である。
【符号の説明】
【００１６】
１…重ね合わせ帳票作成用シート
２…基材
３…顕色剤層
４…発色剤層
５…分離部
６…シート片
７…上シート片
８…下シート片
９、１０…中間シート片
１１…情報記入部
１２、１３…情報複写記入部
１４…情報印字部
１５、１６…接着手段
１７…透孔
【図１】
2008030237.tif 000003
【図２】
2008030237.tif 000004
【図３】
2008030237.tif 000005
【図４】
2008030237.tif 000006
【図５】
2008030237.tif 000007
【図６】
2008030237.tif 000008